(57)【要約】【課題】使用状態の情報を使用者に対して分かり易く表示することができる浄水器を提供する。【解決手段】原水を受け入れる原水流入口と、原水を濾過するフィルタカートリッジと、濾過済みの浄水を吐出する吐出口と、使用状態を示す情報を表示する表示手段とを備える浄水器であって、原水の濾過流量を検出する流量検出手段と、流量検出手段によって検出された前記濾過流量に応じた速さで移動する波模様画像を表示手段に描画する制御手段とを備えた。【選択図】図１
2010162444.tif 000002
【特許請求の範囲】
【請求項１】
原水を受け入れる原水流入口と、
前記原水を濾過するフィルタカートリッジと、
濾過済みの浄水を吐出する吐出口と、
使用状態を示す情報を表示する表示手段と
を備える浄水器であって、
前記原水の濾過流量を検出する流量検出手段と、
前記流量検出手段によって検出された前記濾過流量に応じた速さで変化する所定の画像を前記表示手段に描画する制御手段と
を備えたことを特徴とする浄水器。
【請求項２】
前記流量検出手段によって検出された前記濾過流量に応じた速さで移動する画像が、一定の速さで連続的に移動する画像であることを特徴とする請求項１に記載の浄水器。
【請求項３】
前記一定の速さで連続的に移動する画像が波模様であることを特徴とする請求項２に記載の浄水器。
【請求項４】
前記制御手段は、前記浄水器を動作させる電力を供給する電池の交換時において、波紋状に広がる所定の文字列画像を前記表示手段に描画することにより、前記電池の交換が完了したことを告知することを特徴とする請求項１から３のいずれかに記載の浄水器。
【請求項５】
前記制御手段は、リセット操作が行われた場合に、波紋状に広がる所定の文字列画像を前記表示手段に描画することにより、前記リセット動作が完了したことを告知することを特徴とする請求項１から４のいずれかに記載の浄水器。
【請求項６】
前記表示手段は、文字列を表示する文字表示領域と、画像を描画する画像領域とに分離されていることを特徴とする請求項１から５のいずれかに記載の浄水器。
【請求項７】
前記制御手段が、文字表示領域に、前記画像領域に描画される画像の変化に連動して文字を表示又は移動させるべく、表示手段に信号を送ることができる機構を有することを特徴とする請求項６に記載の浄水器。
【請求項８】
前記表示手段は、ドット液晶表示装置から構成することを特徴とする請求項１から７のいずれかに記載の浄水器。
【請求項９】
前記浄水器は、蛇口直結型であることを特徴とする請求項１から８のいずれかに記載の浄水器。
【発明の詳細な説明】
【技術分野】
【０００１】
本発明は、使用状態を示す情報を表示する表示装置を備える浄水器に関する。
【背景技術】
【０００２】
従来から、中空糸膜等を用いたフィルタを使って水を濾過する浄水器が知られている。この種の浄水器では、一定量の水を濾過するとフィルタカートリッジを交換する必要があるため、濾過した水の量を計測する流量計を備え、計測した流量を制御装置の記憶部に積算して記憶しておき、積算値が所定値に達すると、フィルタカートリッジを新しいフィルタカートリッジ交換する必要がある旨を使用者に通知している。また、浄水器が、流入した原水をフィルタカートリッジで濾過して吐出させる濾過モードと、フィルタカートリッジを通さずにそのまま吐出させる原水モードとを切り換える機構を有する場合には、浄水器が現在、何れのモードにあるのかを使用者に通知している。このような通知を行うための手段として、液晶表示パネルを利用した表示部を用いることが知られている（例えば、特許文献１参照）。
【先行技術文献】
【特許文献】
【０００３】
【特許文献１】特開２００７−１７５６１６号公報
【発明の概要】
【発明が解決しようとする課題】
【０００４】
しかしながら、特許文献１に示す浄水器にあっては、７セグメントの液晶表示パネルを用いており、フィルタカートリッジの濾過可能な水量（すなわちフィルタカートリッジの余命）を表示する場合には、単に数値を表示するのみであるため、使用者が表示内容を把握しにくく、フィルタカートリッジの交換時期などを認識しづらいという問題がある。また、電池の寿命を段階的に表示するように構成されているが、電池を交換するべき時期を認識しづらいという問題もある。
【０００５】
本発明は、このような事情に鑑みてなされたもので、浄水器の使用状態の情報を使用者に対して分かり易く表示することができる浄水器を提供することを目的とする。
【課題を解決するための手段】
【０００６】
本発明は、原水を受け入れる原水流入口と、前記原水を濾過するフィルタカートリッジと、濾過済みの浄水を吐出する吐出口と、使用状態を示す情報を表示する表示手段とを備える浄水器であって、前記原水の濾過流量を検出する流量検出手段と、前記流量検出手段によって検出された前記濾過流量に応じた速さで変化する所定の画像を前記表示手段に描画する制御手段とを備えたことを特徴とする浄水器。
【０００７】
本発明は、前記流量検出手段によって検出された前記濾過流量に応じた速さで移動する画像が、一定の速さで連続的に移動する画像であることを特徴とする。
【０００８】
本発明は、前記一定の速さで連続的に移動する画像が波模様であることを特徴とする。
【０００９】
本発明は、前記制御手段は、前記浄水器を動作させる電力を供給する電池の交換時において、波紋状に広がる所定の文字列画像を前記表示手段に描画することにより、前記電池の交換が完了したことを告知することを特徴とする。
【００１０】
本発明は、前記制御手段は、リセット操作が行われた場合に、波紋状に広がる所定の文字列画像を前記表示手段に描画することにより、前記リセット動作が完了したことを告知することを特徴とする。
【００１１】
本発明は、前記表示手段は、文字列を表示する文字表示領域と、画像を描画する画像領域とに分離されていることを特徴とする。
【００１２】
本発明は、前記制御手段が、文字表示領域に、前記画像領域に描画される画像の変化に連動して文字を表示又は移動させるべく、表示手段に信号を送ることができる機構を有することを特徴とする。
【００１３】
本発明は、前記表示手段は、ドット液晶表示装置から構成することを特徴とする。
【００１４】
本発明は、前記浄水器は、蛇口直結型であることを特徴とする。
【発明の効果】
【００１５】
本発明によれば、浄水器の使用状態を検出した結果に基づいて文字列や画像を表示して、使用状態を使用者に対して分かり易く的確に表示するようにしたため、使用者に対して、浄水器の使用状態を視覚的に分かり易く告知することができるという効果が得られる。
【図面の簡単な説明】
【００１６】
【図１】本発明の一実施形態の構成を示すブロック図である。
【図２】図１に示す表示情報記憶部９のテーブル構造を示す説明図である。
【図３】図１に示す流量情報記憶部８のテーブル構造を示す説明図である。
【図４】図１に示す表示部２に表示される情報の表示例を示す説明図である。
【図５】図１に示す表示部２に表示される情報の表示例を示す説明図である。
【図６】図１に示す表示部２に表示される情報の表示例を示す説明図である。
【図７】図１に示す表示部２に表示される情報の表示例を示す説明図である。
【図８】図１に示す表示部２に表示される情報の表示例を示す説明図である。
【図９】図１に示す表示部２に表示される情報の表示例を示す説明図である。
【図１０】図１に示す表示部２に表示される情報の表示例を示す説明図である。
【図１１】図１に示す表示部２に表示される情報の表示例を示す説明図である。
【図１２】図１に示す表示部２に表示される情報の表示例を示す説明図である。
【図１３】本発明の浄水器の外観を示す斜視図である。
【発明を実施するための形態】
【００１７】
以下、本発明の一実施形態による浄水器を図面を参照して説明する。図１は同実施形態における浄水器の状態を示す情報を表示する処理に関係する部分の構成を示すブロック図である。この図において、符号１は、浄水器の状態を示す情報を表示する処理を統括して制御するマイクロコンピュータ（以下、マイコンと称する）である。符号２は、ドット液晶表示装置から構成する表示部であり、文字列や画像の表示が可能である。符号３は、浄水器の状態を示す情報を表示する処理を実行するために必要な電力を供給する電池であり、電圧３Ｖを出力する。図１においては、電池３が供給する電力の電源線（太い線）は、マイコン１に対する電源線のみを図示しており、その他の電源線については省略している。符号４は、電池３の出力電圧を検出し、検出した電圧値の情報をマイコン１へ出力する電圧センサである。符号５は、原水の濾過流量を検出し、検出した流量値の情報をマイコン１へ出力する流量センサである。符号６は、使用者が操作することによって、マイコン１の処理動作をリセットするリセットスイッチである。符号７は、時間を計測し、計測時間の情報をマイコン１へ出力するタイマである。符号８は、流量センサ５が検出した濾過流量値の積算値を記憶する流量情報記憶部である。符号９は、表示部２に表示するべき情報が予め記憶された表示情報記憶部である。符号１０は、表示部２に表示するべき画像情報が予め記憶された画像情報記憶部である。図１に示す流量情報記憶部８、表示情報記憶部９及び画像情報記憶部１０は、不揮発性メモリで構成する。また流量情報記憶部８は、マイコン１が情報を書き込むことが可能なメモリで構成する。
【００１８】
ここで、図１３を参照して、本実施形態の蛇口直結型浄水器について簡単に説明する。図１３は、本実施形態における浄水器の外観を示す斜視図である。図１３に示す浄水器は、原水を受け入れる原水流入口、原水と浄水の切替えを行う操作レバー、濾過済みの浄水を吐出する吐出口などを備える本体５０と、図１に示す構成を格納する外装ケース５１と、原水を濾過するフィルタカートリッジ５３とを備え、外装ケース５１の表面には、外装ケース５１内に格納される表示部２を透視できるように透明部材で構成された表示窓５２が設けられている。使用者は、表示窓５２を透して外装ケース５１内部の表示部２に表示された情報を目視することができる。
【００１９】
なお、浄水器の構成を図１、１３を参照して説明するに際して、浄水器が普通に有する公知の機能・構成については、本発明の説明に直接関わりがない限り、その説明及び構成の図示を省略する。
【００２０】
次に、図２を参照して、図１に示す表示情報記憶部９のテーブル構造を説明する。図２は、図１に示す表示情報記憶部９のテーブル構造を示す図である。表示情報記憶部９は、表示部２に使用状態の情報を表示するべき状態であるかを判定するためのしきい値と、そのような状態になった場合に表示部２に表示するべき表示画像または文字列のデータと、画像または文字列の表示パターンの情報が関係付けられて記憶されており、「水量」、「フィルタ」、「電池」、「リセット」、「流量」の５項目について、情報が予め記憶されている。
【００２１】
「水量」は、原水の流入量が所定値を超えている場合に表示部２に表示するべき情報に関するデータが記憶されている。図２に示す例では、流量センサ５による検出値が、しきい値「３．５Ｌ／ｍｉｎ」を超えた場合に、「水量を絞って」というメッセージを表示することが記憶されている。そして、この表示は、表示部２の「上」段に「常時」表示することが定義されている。また、流量センサ５による検出値が、しきい値「４Ｌ／ｍｉｎ」を超えた場合に、「水量を絞って」というメッセージを表示することが記憶されており、この表示は、表示部２の「上」段に「点滅」表示することが定義されている。
【００２２】
「フィルタ」は、フィルタカートリッジ５３を交換するべき時期に達している場合に、表示部２に表示するべき情報に関するデータが記憶されている。図２に示す例では、フィルタカートリッジ５３の推奨積算流量の値「９００Ｌ」と、フィルタカートリッジ５３をまもなく交換するべき時期であることを示す情報と、フィルタカートリッジ５３を交換するべき（推奨積算流量に達した）時期であることを示す情報とが記憶されている。残積算流量があと「５０Ｌ」になった時点で、「まもなくフィルタ交換」というメッセージを表示することが定義されており、この表示は、表示部２の「上」段に「切替」表示することが定義されている。また、残積算流量があと「０Ｌ」になった時点で、「フィルタ交換」というメッセージを表示することが定義されており、この表示は、表示部２の「下」段に「常時」表示することが定義されている。
【００２３】
「電池」は、電池３を交換するべき時期に達している場合に、表示部２に表示するべき情報に関するデータが記憶されている。図２に示す例では、電圧降下が進み、電圧センサ４の検出値があらかじめ設定された「第１の電圧降下設定値（例えば２．９Ｖ）」になった時点で、「まもなく電池交換」というメッセージを表示することが定義されており、この表示は、表示部２の「上」段に「切替」表示することが定義されている。また、第１の電圧降下設定値から更に電圧降下が進み、電圧センサ４の検出値があらかじめ設定された「第２の電圧降下設定値（例えば２．３Ｖ）」になった時点で、「電池交換」というメッセージを表示することが定義されており、この表示は、表示部２の「全面」に「点滅」表示することが定義されている。第１の電圧降下設定値と第２の電圧降下設定値と電池３の初期電圧は、「電池初期電圧（３Ｖ）＞第１の電圧降下設定値＞第２の電圧降下設定値」の関係を満たすように設定されている。また、第２の電圧降下設定値は、マイコン１を動作させて電池交換のメッセージを表示することができる最低電圧である必要がある。
【００２４】
「リセット」は、リセットスイッチ６が操作された場合と、電池３を交換した場合に、表示部２に表示するべき情報に関するデータが記憶されており、表示部２に表示するリセット画像のデータ名が定義されており、この「リセット画像のデータ名」の画像データを画像情報記憶部１０から読み出して、表示部２の「全面」に表示することが定義されている。
【００２５】
「流量」は、フィルタカートリッジ５３による濾過流量に応じた速さで画像データを移動させて表示部２に表示する場合のデータが記憶されている。図２に示す例では、「流量画像データ名」の画像データを画像情報記憶部１０から読み出して、表示部２の「下」段に「切替」表示することが定義されている。流量センサ５による検出値が、しきい値１．５Ｌ／ｍｉｎ以下の場合は、画像データを１ｄｏｔ当たり３２ｍｓで移動させて表示することが定義されている。同様に、１．５〜２．０Ｌ／ｍｉｎの場合は、画像データを３２ｍｓで１ｄｏｔ移動させ、２．０〜２．５Ｌ／ｍｉｎの場合は、画像データを３２ｍｓで３ｄｏｔ移動させ、２．５〜３．０Ｌ／ｍｉｎの場合は、画像データを１６ｍｓで２ｄｏｔ移動させ、３．０〜３．５Ｌ／ｍｉｎの場合は、画像データを１６ｍｓで３ｄｏｔ移動させ、３．５Ｌ／ｍｉｎ以上の場合は、画像データを１６ｍｓで４ｄｏｔ移動させることが定義されている。すなわち、流量の増加にともなって、画像データが速く移動するように定義されている。
【００２６】
次に、図３を参照して、図１に示す流量情報記憶部８のテーブル構造を説明する。図３は、図１に示す流量情報記憶部８のテーブル構造を示す図である。流量情報記憶部８は、流量センサ５の検出値を積算した積算流量値（Ｌ）の値（図３においては、「２４５」）と、フィルタカートリッジ５３の余命を表示する場合の文字列（図３においては、「あと○○○Ｌ」、○○○は実際の値が挿入される）と、この表示を行う場合の表示パターン（図３においては、「上」段に「常時」表示する）のデータを記憶する。積算流量値は、マイコン１が流量センサ５の検出値を読み取り、積算して書き込む値である。
【００２７】
次に、図１を参照して、図１に示すマイコン１の基本動作を説明する。まず、マイコン１は、リセットスイッチ６が操作されたことを検知すると、流量情報記憶部８に記憶されている積算流量の値を「０」にリセットする。そして、マイコン１は、リセット時に表示するべき情報を表示部２に表示した後に、基本動作を行う。マイコン１の基本動作とは、タイマ７が出力する時間情報を参照して、１秒間隔で流量センサ５の検出値を読み、読んだ検出値が「０」でなければ（「０」と見なすべき値でなければ）検出した流量値を積算して、流量情報記憶部８に書き込む。このとき、マイコン１は、流量情報記憶部８に記憶されている積算流量の値に対して、新たに求めた流量の積算値を加算していく。これと並行して、マイコン１は、流量情報記憶部８に記憶されている積算流量値に基づいて、フィルタカートリッジ５３の余命の情報を表示部２に表示するとともに、流量センサ５の検出値に応じた速さで移動させた画像データを表示部２に表示する。また、マイコン１は、電圧センサ４の検出値を読み取り、表示情報記憶部９に記憶されているしきい値と比較して、電池３の状態を表示するべき状態であることを検知すると、電池の交換時期を知らせる情報の表示を行う。また、マイコン１は、流量センサ５の検出値が表示情報記憶部９に記憶されているしきい値を超えている場合に、水量を絞ることを促す情報を表示部２に表示する。
【００２８】
次に、図４を参照して、浄水器の通常使用時に表示部２に表示される情報を表示する動作について具体的な表示画面を参照して説明する。図４は、表示部２に表示される表示画面の一例を示す図である。図４に示す表示画面２１は、上下２段に分割されており、上段には、フィルタカートリッジ５３の余命を示す情報が表示される。また、表示部２の下段には、流量に応じた速さで移動する波模様画像を表示する。
【００２９】
浄水器の通常使用時において、マイコン１は、表示情報記憶部９に記憶されている推奨積算流量（例えば、９００Ｌ）から流量情報記憶部８に記憶されている積算流量の値を減算して、得られた値をフィルタカートリッジ５３の余命の値として表示部２に表示する。余命の値が負になった場合は、「０」に置き換える。このとき、マイコン１は、流量情報記憶部８に記憶されているフィルタカートリッジ５３の余命を表示する場合の文字列と、この表示を行う場合の表示パターンのデータに基づいて、フィルタカートリッジ５３の余命の情報を表示する。マイコン１は、フィルタカートリッジ５３の余命を表示する場合の文字列の中に演算によって求めた余命の値を埋め込み、例えば「あと１２３Ｌ」という文字列を生成し、表示部２の上段に常時表示する。流量検出は、１秒ごとに行われるが、表示の更新は吐水量により適宜減数表示される。
【００３０】
一方、マイコン１は、浄水器の通常使用時には、表示情報記憶部９に記憶されている流量画像データ名で特定される画像データを画像情報記憶部１０から読み出し、表示部２の下段に表示する。画像データは、例えば、図４に示す波模様画像であり、この波模様が、表示情報記憶部９に記憶されている流量毎の速さで、表示部２の右から左へ流れるように移動するように表示を行う。例えば、検出流量値が２．３Ｌ／ｍｉｎであれば、図４に示す波模様が３２ｍｓ当たり３ｄｏｔ左へ移動する速さで表示されることになる。
【００３１】
このように、波模様画像を濾過流量に応じた速さで移動させて表示するようにしたため、現時点の濾過流量を視覚的に分かり易く使用者に告知することができる。また、フィルタカートリッジ５３の余命を水の体積を示す文字列で表示するようにしたため、使用者が余命を直感的に把握し易くできる。
【００３２】
次に、図５を参照して、リセットスイッチ６が操作された場合と、電池３を交換した場合に表示部２に表示される情報を表示する動作について具体的な表示画面を参照して説明する。図５は、表示部２に表示される表示画面の一例を示す図である。図５に示す表示画面２２〜３０は、所定時間間隔（例えば１秒）で順に切り替えて表示することを示している。マイコン１は、リセットスイッチ６が操作されたこと、または電池３が交換されたことを検知すると、表示情報記憶部９に記憶されているリセット画像データ名で特定される複数の画像データを画像情報記憶部１０から順に読み出し、読み出した画像データを読み出した順に所定の時間間隔で切替ながら表示部２の全面に表示する。この動作によって、図５に示すように、波紋状に広がる文字列画像が表示部２に描画されることになり、リセット動作及び電池交換動作が完了したことを使用者に告知することができる。
【００３３】
このように、波紋状に広がる文字列画像を順に切り替えて表示するようにしたため、電池交換動作とリセット動作の終了を使用者に分かり易く告知することができる。
【００３４】
次に、図６、図７を参照して、フィルタカートリッジ５３を交換するべき時期が近づいた場合に表示部２に表示される情報を表示する動作について具体的な表示画面を参照して説明する。図６、７は、表示部２に表示される表示画面の一例を示す図である。図６に示す表示画面３１〜３３は、所定時間間隔（例えば１秒）で順に切り替えて表示することを示している。マイコン１は、浄水器の通常使用時の動作において、フィルタカートリッジ５３の余命の値が、表示情報記憶部９に記憶されている「まもなく交換」のしきい値に達した時点で、表示情報記憶部９に記憶されている表示文字を表示部２の上段に表示する。例えば、フィルタカートリッジ５３の余命の値が「５０Ｌ」になった時点で、「あと５０Ｌ」、「まもなく」、「フィルタ交換」という文字列を１秒毎に順に切り替えて表示する。このとき、表示部２の下段には、流量に応じた速さで波模様が表示される。
【００３５】
一方、図７に示す表示画面３４は、フィルタ交換時期になったことを示す情報を表示することを示している。フィルタカートリッジ５３の余命の値が、表示情報記憶部９に記憶されている「交換」のしきい値に達した時点で、マイコン１は、表示情報記憶部９に記憶されている表示文字列を表示部２の下段に表示する。例えば、フィルタカートリッジ５３の余命の値が「０Ｌ」になった時点で、「フィルタ交換」という文字列を表示部２の下段に常時表示する。このとき、フィルタカートリッジ５３の余命の値は「０」から変化しないため、表示部２の上段には、「あと  ０Ｌ」という文字列が常時表示されることになる。
【００３６】
このように、フィルタの交換時期を文字列で告知するようにしたため、フィルタの交換時期が近づいたことを使用者に対して分かり易く告知することができる。
【００３７】
次に、図８、図９を参照して、電池３を交換するべき時期が近づいた場合に表示部２に表示される情報を表示する動作について具体的な表示画面を参照して説明する。図８、９は、表示部２に表示される表示画面の一例を示す図である。図８に示す表示画面３５〜３７は、所定時間間隔（例えば１秒）で順に切り替えて表示することを示している。マイコン１は、浄水器の通常使用時の動作において、電池３の出力電圧値が、表示情報記憶部９に記憶されている「まもなく交換」のしきい値に達した時点で、表示情報記憶部９に記憶されている表示文字を表示部２の上段に表示する。例えば、電圧値が「第１の電圧降下設定値（例えば、２．９Ｖ）」になった時点で、「あと７６８Ｌ」、「まもなく」、「電池交換」という文字列を１秒毎に順に切り替えて表示する。このとき、表示部２の下段には、流量に応じた速さで波模様が表示される。
【００３８】
一方、図９に示す表示画面３８は、電池交換時期になったことを示す情報を表示することを示している。電池３の出力電圧値が、表示情報記憶部９に記憶されている「交換」のしきい値に達した時点で、マイコン１は、表示情報記憶部９に記憶されている表示文字列を表示部２の全面に点滅表示する。例えば、電圧値が「第２の電圧降下設定値（例えば、２．３Ｖ）」になった時点で、「電池交換」という文字列を表示部２の全面に点滅表示する。
【００３９】
このように、電池の交換時期を文字列で告知するようにしたため、電池の交換時期が近づいたことを使用者に対して分かり易く告知することができる。
【００４０】
次に、図１０を参照して、水量を絞るべき状態になった場合に、表示部２に表示される情報を表示する動作について具体的な表示画面を参照して説明する。図１０は、表示部２に表示される表示画面の一例を示す図である。図１０に示す表示画面３９は、水量（蛇口の開度）が所定量を超えた場合に表示する情報を示している。マイコン１は、浄水器の通常使用時の動作において、流量センサ５の検出値が、表示情報記憶部９に記憶されているしきい値に達した時点で、表示情報記憶部９に記憶されている表示文字を表示部２の上段に常時表示する。例えば、流量値が「３．５Ｌ／ｍｉｎ」になった時点で、「水量を絞って」という文字列を表示する。このとき、表示部２の下段には、流量に応じた速さで波模様が表示される。また、マイコン１は、流量値が「４．０Ｌ／ｍｉｎ」になった時点で、「水量を絞って」という文字列を点滅表示する。この「水量を絞って」という表示は、流量値が「３．５Ｌ／ｍｉｎ」以上「４．０Ｌ／ｍｉｎ」未満では、常時表示となり、「４．０Ｌ／ｍｉｎ」以上になった時点で、点滅表示となる。
【００４１】
フィルタカートリッジ５３は、活性炭等を用いて吸着によって原水を浄化する機能も有しているため、濾過流量が浄水器の推奨濾過流量を超えてしまうと、原水を確実に浄化することができない場合があるが、推奨濾過流量を超えた場合に、水量を絞るように指示を表示するようにしたため、浄化能力を超えた流量で使用していることを告知することができ、使用者に対して水量を絞ることを促すことが可能となる。
【００４２】
次に、図１１、図１２を参照して、同時にフィルタ５３と電池３を交換するべき時期が近づいた場合に表示部２に表示される情報を表示する動作について具体的な表示画面を参照して説明する。図１１、１２は、表示部２に表示される表示画面の一例を示す図である。図１１に示す表示画面４０〜４４及び図１２に示す表示画面４５〜４８は、所定時間間隔（例えば１秒）で順に切り替えて表示することを示している。マイコン１は、浄水器の通常使用時の動作において、電池３の出力電圧値とフィルタカートリッジ５３の余命の値の両方が、表示情報記憶部９に記憶されている「まもなく交換」のしきい値に達した時点で、表示情報記憶部９に記憶されている表示文字を表示部２の上段に表示する。例えば、電圧値が「第１の電圧降下設定値（例えば、２．９Ｖ）」になり、余命の値が「５０Ｌ」になる状態が同時に発生した場合、「あと５０Ｌ」、「まもなく」、「フィルタ交換」、「まもなく」、「電池交換」という文字列を１秒毎に順に切り替えて表示する。このとき、表示部２の下段には、流量に応じた速さで波模様が表示される（図１１参照）。
【００４３】
一方、マイコン１は、浄水器の通常使用時の動作において、電池３の出力電圧値が「まもなく交換」のしきい値に達し、フィルタカートリッジ５３の余命の値が、表示情報記憶部９に記憶されている「交換」のしきい値に達した時点で、表示情報記憶部９に記憶されている表示文字を表示部２の上段に表示する。例えば、電圧値が「第２の電圧降下設定値（例えば、２．３Ｖ）」になり、余命の値が「０Ｌ」になる状態が同時に発生した場合、「あと０Ｌ」、「フィルタ交換」、「まもなく」、「電池交換」という文字列を１秒毎に順に切り替えて表示する。このとき、表示部２の下段には、流量に応じた波模様の表示は行わない（図１２参照）。
【００４４】
以上説明したように、浄水器の使用状態を検出し、所定のしきい値に達した時点で、予め記憶しておいた文字列や画像を表示して、使用状態を使用者に対して分かり易く的確に表示するようにしたため、使用者に対して、浄水器の使用状態を視覚的に分かり易く告知することができる。また、表示部２にドット液晶表示装置を用いるようにしたため、画像や任意の文字列を表示することができ、視覚的に分かり易い告知を行うことが可能となる。また、表示部２の表示領域を上下２段に分離して、それぞれ異なる情報を表示するようにしたため、使用状態を示す多くの情報を同時に表示することが可能となる。
【００４５】
なお、前述した説明においては、蛇口直結型の浄水器を例にして説明したが、図１に示す構成は、蛇口直結型の浄水器に限らず、ビルトイン型やポット型の浄水器に備えるようにしてもよい。
【００４６】
また、図１に示すマイコン１の機能を実現するためのプログラムをコンピュータ読み取り可能な記録媒体に記録して、この記録媒体に記録されたプログラムをコンピュータシステムに読み込ませ、実行することにより浄水器の使用状態の情報を表示する処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００４８】
１・・・マイコン、２・・・表示部、３・・・電池、４・・・電圧センサ、５・・・流量センサ、６・・・リセットスイッチ、７・・・タイマ、８・・・流量情報記憶部、９・・・表示情報記憶部、１０・・・画像情報記憶部
【図１】
2010162444.tif 000003
【図２】
2010162444.tif 000004
【図３】
2010162444.tif 000005
【図４】
2010162444.tif 000006
【図５】
2010162444.tif 000007
【図６】
2010162444.tif 000008
【図７】
2010162444.tif 000009
【図８】
2010162444.tif 000010
【図９】
2010162444.tif 000011
【図１０】
2010162444.tif 000012
【図１１】
2010162444.tif 000013
【図１２】
2010162444.tif 000014
【図１３】
2010162444.tif 000015